(57)【要約】  スクリーン印刷機のスクリーンマスクを清掃するバキュームクリーニングヘッドを構成の自由度に富むものとし、かつ、スリット状吸引口の吸引能力むらを軽減する。  バキュームクリーニングヘッドを、(a)スリット状の吸引口４０を有し、クリーニングシートを介してスクリーンマスクの下面に接触させられる長手形状の吸引部４２と、(b)長さが吸引口以上であり、幅が吸引口より広い長手形状を有し、長手方向の一部において管路によりバキューム発生装置に接続されるメインバキュームチャンバ４８と、(c)そのメインバキュームチャンバと吸引部との間に設けられ、長さが吸引口以上であるサブバキュームチャンバ４４と、(d)そのサブバキュームチャンバとメインバキュームチャンバとの間に設けられ、メインバキュームチャンバからサブバキュームチャンバに向かう空気の流れを整流する整流部４６とを含むものとする。
2014049837.tif 000002
【特許請求の範囲】
【請求項１】
多数の小開口が形成されたスクリーンマスクの上面に沿って、スキージによりクリーム状はんだを押送することにより、スクリーンマスクの下に重ねられた回路基板にクリーム状はんだを印刷するスクリーン印刷機の、スクリーンマスクを清掃するバキュームクリーニングヘッドであって、
スリット状の吸引口を有し、クリーニングシートを介してスクリーンマスクの下面に接触させられる長手形状の吸引部と、
長さが前記吸引口以上であり、幅が吸引口より広い長手形状を有し、長手方向の一部において管路によりバキューム発生装置に接続されるメインバキュームチャンバと、
そのメインバキュームチャンバと前記吸引部との間に設けられ、長さが前記吸引口以上であるサブバキュームチャンバと、
そのサブバキュームチャンバと前記メインバキュームチャンバとの間に設けられ、メインバキュームチャンバからサブバキュームチャンバに向かう空気の流れを整流する整流部と
を含むことを特徴とするバキュームクリーニングヘッド。
【請求項２】
前記整流部が、多数のパイプが前記メインバキュームチャンバから前記吸引口に向かう姿勢で配列されるとともに、それらパイプの両端に板材が固定され、かつ、それら板材の各パイプの各開口に対応する部分に開口が形成されて成る請求項１に記載のバキュームクリーニングヘッド。
【請求項３】
前記サブバキュームチャンバが、前記整流部に連通する下部開口から、前記吸引口に連通する上部開口に向かって幅が漸減する幅漸減部を有する請求項１または２に記載のバキュームクリーニングヘッド。
【発明の詳細な説明】
【技術分野】
【０００１】
本発明は、多数の小開口が形成されたスクリーンマスクの上面に沿って、スキージによりクリーム状はんだを押送することにより、スクリーンマスクの下に重ねられた回路基板にクリーム状はんだを印刷するスクリーン印刷機用のバキュームクリーニングヘッドに関するものである。
【背景技術】
【０００２】
下記の特許文献１には、スクリーンマスクの下面にクリーニングシートを介して接触させられ、その下面に沿って移動させられることにより、スクリーンマスクの下面および小開口内のクリーム状はんだを除去するバキュームクリーニングヘッドが記載されている。
【先行技術文献】
【特許文献】
【０００３】
【特許文献１】特開平１０−１００３８８号公報
【発明の概要】
【発明が解決しようとする課題】
【０００４】
この種のバキュームクリーニングヘッドを、いずれも長手形状を有する吸引部とバキュームチャンバとを含むものとし、バキュームチャンバの長手方向の一部を別置きのバキューム発生装置にホース等の管路により接続すれば、バキューム発生装置をもバキュームクリーニングヘッドと一体的に構成する場合に比較して、構成の自由度が増す効果が得られるのであるが、反面、吸引部にスリット状に形成される吸引口に吸引力のむらが生じ易い。吸引口の、バキュームチャンバへの管路の接続部から遠い部分の吸引能力が不足する問題が発生するのである。
本発明は、以上の事情を背景として、構成の自由度が高く、かつ、吸引口における吸引能力のむらの少ないバキュームクリーニングヘッドを得ることを課題として為されたものである。
【課題を解決するための手段】
【０００５】
上記の課題は、バキュームクリーニングヘッドを、(a)スリット状の吸引口を有し、クリーニングシートを介して前記スクリーンマスクの下面に接触させられる長手形状の吸引部と、(b)長さが前記吸引口以上であり、幅が吸引口より広い長手形状を有し、長手方向の一部において管路によりバキューム発生装置に接続されるメインバキュームチャンバと、(c)そのメインバキュームチャンバと前記吸引部との間に設けられ、長さが前記吸引口以上であるサブバキュームチャンバと、(d)そのサブバキュームチャンバと前記メインバキュームチャンバとの間に設けられ、メインバキュームチャンバからサブバキュームチャンバに向かう空気の流れを整流する整流部とを含むものとすることにより解決される。
サブバキュームチャンバは、整流部に連通する下部開口から吸引口に連通する上部開口に向かって幅が漸減する幅漸減部を有するものとされることが望ましい。
【発明の効果】
【０００６】
上記構成のバキュームクリーニングヘッドにおいては、バキューム発生装置をメインバキュームチャンバとは別置きにできるため、構成の自由度が大きい利点がある反面、メインバキュームチャンバの長手方向の一部において空気が集中的に吸引されるため、メインバキュームチャンバ内の空気の流れ方向や流量が不均一になることを避け得ない。しかし、メインバキュームチャンバとサブバキュームチャンバとの間に整流部が設けられているため、サブバキュームチャンバ内の長手方向における空気の流れのむらが緩和される。それにより、吸引口における吸引能力のむらが緩和され、構成の自由度が大きく、かつ、吸引口における吸引能力のむらが少ないバキュームクリーニングヘッドが得られる。
サブバキュームチャンバを幅漸減部を有するものとすれば、吸引口の長手方向における空気の流れのむらが特に効果的に緩和される。
【図面の簡単な説明】
【０００７】
【図１】本発明の一実施形態であるバキュームクリーニングヘッドを含むスクリーンマスククリーニング装置を概略的に示す側面図である。
【図２】上記バキュームクリーニングヘッドを示す斜視図である。
【図３】上記バキュームクリーニングヘッドの内部構造を示す斜視図である。
【図４】上記バキュームクリーニングヘッドの効果を説明するための概略正面断面図である。
【図５】上記バキュームクリーニングヘッドの効果を説明するための別の概略正面断面図である。
【図６】本発明の別の実施形態であるバキュームクリーニングヘッドの内部構造を示す斜視図である。
【発明を実施するための形態】
【０００８】
以下、本発明の実施形態を図を参照しつつ説明する。図１において、符号１０はスクリーンマスク(以下、マスクと略称する）を示し、スクリーン印刷は、二点鎖線で示すように、このマスク１０の上面にクリーム状はんだ１２（以下、はんだと略称する）を載せ、スキージ１４によりマスク１０の上面に沿って矢印の方向に押送することにより、マスク１０に形成された図示を省略する多数の小開口１６を通して、マスク１０の下に配置された回路基板（図示省略）の上面に塗布することにより行われる。この印刷の実行により、マスク１０の下面の小開口１６周辺部にはんだ１２が付着したり、小開口１６の一部にはんだ１２が残ったりすることがあり、これらのはんだ１２は次の回路基板に対する印刷品質を低下させる。
【０００９】
この印刷品質の低下を防止するために、図１に示すスクリーンマスククリーニング装置２０（以下、クリーニング装置と略称する）が使用される。クリーニング装置２０はバキュームクリーニングヘッド２２（以下、クリーニングヘッドと略称する）と、それを支持するとともに移動装置２４によりマスク１０に沿って移動させられるヘッド支持台２６とを備えている。ヘッド支持台２６とクリーニングヘッド２２との間には昇降装置２８が設けられており、クリーニングヘッド２２をマスク１０に接触する上昇位置とマスク１０から離間する下降位置との間で昇降させる。
【００１０】
クリーニング装置２０はさらにシート供給装置３０を備えている。シート供給装置３０は、長尺のクリーニングシート３２を保持し、始端部から繰り出す供給ロール３４と、電動モータ３６により駆動され、使用済みのクリーニングシート３２を巻き取る巻取ロール３８とを備えている。クリーニングヘッド２２は、上昇位置においては、図１に示すように、クリーニングシート３２の供給ロール３４と巻取ロール３８との間に延びるクリーニング部を介してマスク１０の下面に接触し、その状態で空気を吸引しつつマスク１０に沿って移動し、クリーニングを行う。
【００１１】
クリーニングヘッド２２は、図２および図３に示すように、スリット状の吸引口４０を有する吸引部４２を有し、吸引部４２の下方には、サブバキュームチャンバ４４(以下、サブチャンバと略称する），整流部４６、メインバキュームチャンバ４８(以下、メインチャンバと略称する）が設けられている。吸引部４２，サブチャンバ４４，整流部４６およびメインチャンバ４８はいずれも、クリーニングヘッド２２の移動方向に直角な方向に延びる長手形状を有している。マスク１０は、常に全体に分散した状態で小開口１６が形成されるわけではなく、回路基板のはんだ１２を印刷すべき領域にのみ形成される。そして、吸引口４０および吸引部４２は、その小開口１６が形成された領域の広さに応じた長さとされる。それに対して、サブチャンバ４４，整流部４６およびメインチャンバ４８は最も広いマスク１０に対応した長さとされる。したがって、吸引口４０および吸引部４２は、サブチャンバ４４，整流部４６およびメインチャンバ４８より短くされることもあるが、図示の例は、最も広い領域をクリーニングし得るクリーニングヘッド２２であるため、すべての部分がほぼ同じ長さとなっている。
【００１２】
メインチャンバ４８は長手方向の一部分において、管路の一種であるホースにより図１に示すバキューム発生装置５２に接続されている。そのため、バキューム発生装置５２をクリーニングヘッド２２とは別置きとすることができ、構成の自由度が高くなる利点があるのであるが、反面、クリーニング時には、図４に示すように、空気の流れがホースの接続部５４に近い部分ほど多くなり、吸引口４０の吸引能力にむらが生じる傾向がある。ホースの接続部５４を図５に示すように、メインチャンバ４８の長手方向の中央部とすることも可能であり、それによって、吸引能力のむらを軽減し得るのであるが、十分とは言えない。
【００１３】
そこで、本実施形態においては、クリーニングヘッド２２が図３に示す構造とされている。メインチャンバ４８とサブチャンバ４４との間に整流部４６が設けられるとともに、サブチャンバ４４が、メインチャンバ４８側の幅が広く、吸引口４０に向かうにしたがって直線的に狭くなる幅漸減部６０と、一定の幅で吸引口４０まで延びる一定幅部６２とから成っている。整流部４６は、図３から明らかなように、多数のパイプ６４が、それぞれメインチャンバ４８からサブチャンバ４４に向かう方向に平行に延びる姿勢で配列され、それらの両端面に一対の平板６６，６８が固定されるとともに、それら平板６６，６８の、パイプ６４の各開口に対応する部分に開口７０が形成されたものであり、一方の平板６６がメインチャンバ４８の上部開口を閉塞し、他方の平板６８がサブチャンバ４４の下部開口を閉塞する状態で設けられている。多数のパイプ６４は千鳥配置されており、長手形状の平板６６，６８には、開口７０が幅方向および長手方向に均一に分散して形成されている。
【００１４】
サブチャンバ４４は鋼あるいは硬質合成樹脂により形成されており、一定幅部６２の先端が吸引口４０となっているのであるが、この吸引口４０の幅方向の両側には弾性変形部７４，７６が設けられている。これら弾性変形部７４，７６はスポンジ材がサブチャンバ４４を構成する壁の外側面に固定されて成り、吸引口４０がクリーニングシート３２を介してマスク１０に接触させられる際、弾性変形して吸引部４２の密着性を向上させる。
【００１５】
本クリーニングヘッド２２は以上のように構成され、弾性変形部７４、７６が広い面でクリーニングシート３２およびマスク１０に密着する上、クリーニングヘッド２２内の空間が、メインチャンバ４８から吸引口４０の向うに従って横断面積が徐々に減少させられる上、メインチャンバ４８とサブチャンバ４４との間に整流部４６が設けられているため、バキューム発生装置５２が作動させられられたとき、空気は概して吸引口４０からメインチャンバ４８に向かう向きに流れ、吸引口４０の、メインチャンバ４８に対するホースの接続部５４から最も離れた部分においても空気が良好に吸引される。それによって、吸引口４０における吸引能力の不均一が軽減され、クリーニングヘッド２２がマスク１０の下面に沿って移動させられれば、マスク１０の小開口１６が形成された領域全体が良好に清掃される。
【００１６】
本発明の別の実施形態を図６に示す。この実施形態のクリーニングヘッド８０においては整流部８２がハニカム８４によって構成されている。図示のハニカム８４は、厚板にそれを厚さ方向に貫通する多数の流路８６が千鳥状に形成されたものである。しかし、これに限定されるものではなく、長尺の薄板を曲げ加工したものを複数枚、それら薄板の互いに接触する壁部において接合して整流部８２に類似の形状としてもよく、この方法によれば、流路８６の長いものを容易に製造し得る。
【００１７】
クリーニングヘッド８０は吸引部９０においても前記クリーニングヘッド２２と異なっている。鋼あるいは硬質合成樹脂により形成され、複数（図示の例では３つ）の吸引口９２が互いに平行に構成されているのである。この構成とすることにより、吸引部９０によるクリーニングシート３２およびマスク１０の吸着性が、吸引口が１つのみの吸引部に比較して良好になることが実験により確認されている。ただし、吸引口９２をゴム等の弾性材料により構成することを排除するものではない。
【符号の説明】
【００１８】
１０：スクリーンマスク(マスク）    １６：小開口    ２０：スクリーンマスククリーング装置（クリーング装置）    ２２：バキュームクリーニングヘッド（クリーニングヘッド）    ２４：移動装置    ２６：ヘッド支持台    ２８：昇降装置    ３０：シート供給装置    ３２：クリーニングシート    ４０：吸引口    ４２：吸引部    ４４：サブバキュームチャンバ(サブチャンバ）    ４６：整流部    ４８：メインバキュームチャンバ(メインチャンバ）    ５２：バキューム発生装置    ５４：接続部    ６０：幅漸減部    ６４：パイプ    ６６，６８：平板    ７０：開口    ７４，７６：弾性変形部    ９０：吸引部    ９２：吸引口
【図１】
2014049837.tif 000003
【図２】
2014049837.tif 000004
【図３】
2014049837.tif 000005
【図４】
2014049837.tif 000006
【図５】
2014049837.tif 000007
【図６】
2014049837.tif 000008
【国際調査報告】
2014049837.tif 000009
2014049837.tif 000010
2014049837.tif 000011
2014049837.tif 000012
2014049837.tif 000013